(57)【特許請求の範囲】
【請求項１】
鉄筋コンクリート造又は鉄骨鉄筋コンクリート造等の構築物の主要構造部の同一部材中に主筋の継手となる継手金物と開孔部とを部材の長手方向において、該継手金物の一端部と該開孔部の一端部とが近接する位置に設け、該継手金物は同一部材中の対向する外周側位置に配設することにより両者間に空間部が形成され、上記継手金物により形成された空間部と該開孔部とを補強する補強構造において、該継手金物の開孔部側端部と該開孔部の継手金物側端部との間隙に、該継手金物の端部外方位置の対向する主筋に複数の集約せん断補強筋を巻き付け、且つ、該開孔部の周囲に開孔部補強筋を配筋し、該開孔部補強筋は、該開孔部補強筋から部材の長手方向に延設させて延長補強筋を設け、該継手金物側に設けた該延長補強筋は、せん断補強筋の非配筋位置となる該空間部に突出させて該空間部の補強筋として配筋し、近接した位置の継手金物によって生じる空間部と開孔部との両者を補強してなることを特徴とする継手金物部位と開孔部とを併設配置した補強構造。
【請求項２】
開孔部補強筋は、主筋に巻き付けた孔際補強筋、開孔部周囲を囲む開孔部囲繞補強筋及び延長補強筋とよりなることを特徴とする請求項１記載の継手金物部位と開孔部とを併設配置した補強構造。
【請求項３】
複数の集約せん断補強筋は、主要構造部材の長手方向において密接配筋してなることを特徴とする請求項１記載の継手金物部位と開孔部とを併設配置した補強構造。
【請求項４】
複数の集約せん断補強筋は、主要構造部材の長手方向において小間隔を有した集中状態で配筋してなることを特徴とする請求項１記載の継手金物部位と開孔部とを併設配置した補強構造。
【請求項５】
集約せん断補強筋及び／又は孔際補強筋は、１本の鉄筋を数回巻いて複数の鉄筋としてなることを特徴とする請求項２記載の継手金物部位と開孔部とを併設配置した補強構造。
【請求項６】
開孔部囲繞補強筋は、直線部材と斜材部材とを組み合わせてなることを特徴とする請求項２乃至５のいずれか記載の継手金物部位と開孔部とを併設配置した補強構造。
【請求項７】
開孔部囲繞補強筋は、四角形部材と多角形部材或いは多角形部材相互又は多角形部材と湾曲部材或いは湾曲部材相互等を適宜組み合わせてなることを特徴とする請求項２乃至５のいずれか記載の継手金物部位と開孔部とを併設配置した補強構造。
【請求項８】
開孔部囲繞補強筋は、開孔部の長手方向に沿って延出し、該開孔部を囲むスパイラル状の鉄筋としたことを特徴とする請求項２乃至５のいずれか記載の継手金物部位と開孔部とを併設配置した補強構造。
【請求項９】
開孔部囲繞補強筋は、主筋、延長補強筋、せん断補強筋、集約せん断補強筋、孔際補強筋、その他開孔部周囲の補強筋等に連結してなることを特徴とする請求項２乃至８のいずれか記載の継手金物部位と開孔部とを併設配置した補強構造。
【発明の詳細な説明】
【技術分野】
【０００１】
本発明は、鉄筋コンクリート造又は鉄骨鉄筋コンクリート造等の建築や土木等の構築物や構造物（以下、単に構築物という）の梁や柱等の主要構造部における鉄筋の継手手段として継手金物を使用し、その継手金物の配設部位に併設して開口部や開孔部（以下、開孔部という）を設けた構造において、該継手金物部位と開孔部とを補強する構造に関するものである。
【背景技術】
【０００２】
近年、鉄筋コンクリート造又は鉄骨鉄筋コンクリート造等の構築物の主要構造部に使用する鉄筋の継手手段として、スリーブ状の継手金物が使用されている。該継手金物は、図６の点線に示すように、その両端部から各々鉄筋（以下、継手金具を使用する鉄筋を主筋という）を挿入し、該継手金物の内側で固定する構造としているので、該継手金物の外径は主筋径と比較して太径となっている。従って、主要構造部のせん断力補強等の有効手段として該継手金物を配設した部位にスターラップ筋或いはフープ筋等のせん断補強筋を設け、該せん断補強筋を相互に対向する位置の最外側に位置する該継手金物の外側壁間に小間隔毎或いは密接に並べて架け渡したりスパイラル状に連続的に架け渡して（以下、それらを総称して巻き付け、と表現する）いる。しかし、上記したように、該継手金物は太径のため、該外側壁間に巻き付けられた該せん断補強筋は他の位置となる主筋の最外側に巻き付けられたものより大気に近い外方位置（コンクリートの表面側）へ突出することになり、それにより構築物の必要とするかぶり厚となるコンクリート部分が他の位置より外方へ突出することになり、そのことは当該部位のみならず他の部位全体のかぶり厚を厚くするとか、主筋の位置を内側へ移動（主筋の位置を下げる）させる設計変更等を余儀なくされ、それら設計変更や施工においても効率的ではなく、経済的ではなかった。
【０００３】
そこで、図６に示すように、対向する位置の継手金物Ａ間にせん断補強筋Ｂを巻き付けることなく該継手金物Ａの端部となる主筋の入り口部の外方に複数の又は所定のせん断補強が得られる単数及び複数本の鉄筋又は数回巻いて巾のある状態とした鉄筋或いは予め束ねた１本巻きの単数の鉄筋を複数本集約した鉄筋等を主筋に巻き付け（以下、上記した単数或いは予め束ねたせん断補強筋等様々な形態が想定されるが、それらを総称して集約せん断補強筋或いは鉄筋を束ねた集約せん断補強筋という）、該せん断補強筋Ｂや集約せん断補強筋Ｃが外方へ突出してかぶり厚に影響を与えないようにして当該部位に生じる所定のせん断力に耐える構造としていた。なお、図６は、該継手金物Ａを横方向に設けた実施例であるが、柱等の縦方向でも同様の構造となる。
【０００４】
他方、開孔部においても、該開孔部が設けられる箇所にはその上下或いは左右に位置する主筋間に該開孔部を通過するようにしてせん断補強筋を巻き付けること或いはせん断補強筋を切断することは構造上できないので、該開孔部を囲む箇所に別途開孔部専用の孔際補強筋を設ける必要があった。
【０００５】
上記構築物を構成する主要構造部の梁や柱において、継手金物を設けた梁や柱と同一部材に開孔部を併設して設けなければならない設計が生じることがある。その場合、該継手金物の一方又は双方の端部となる主筋の入り口部から開孔部が配設される箇所までの間に少なくとも該継手金物の集約せん断補強筋及び開孔部補強筋が別個に併設配筋できるか該開孔部補強筋が該集約せん断補強筋の配筋位置に入り込んで配筋できる寸法を確保した上で該継手金物と開孔部の位置を決定することになる。
【先行技術文献】
【特許文献】
【０００６】
【特許文献１】特開平７−３９４２号公報
【特許文献２】特開２００２−３５６９５３号公報
【発明の概要】
【発明が解決しようとする課題】
【０００７】
本発明は、上記状況を考慮し、継手金物を設けた同一部材に開孔部を併設した構造で、該継手金物と開孔部とにより生じる構造上の補強問題を解決するために、該継手金物を補強するための集約せん断補強筋にあっては該開孔部側に位置する集約せん断補強筋及び該開孔部側にあっては該継手金物側に位置する開孔部補強筋の各々が両者間に別個に併設配筋できるか該開孔部補強筋が該集約せん断補強筋の配筋位置に入り込んで配筋できる寸法を確保し、同一部材に該継手金物と開孔部とを併設しても構造上問題のない構築物の主要構造部の補強構造に関するものである。
【課題を解決するための手段】
【０００８】
本発明は、鉄筋コンクリート造又は鉄骨鉄筋コンクリート造等の構築物の主要構造部の同一部材中に主筋の継手となる継手金物と開孔部とを部材の長手方向において、該継手金物の一端部と該開孔部の一端部とが近接する位置に設け、該継手金物は同一部材中の対向する外周側位置に配設することにより両者間に空間部が形成され、上記継手金物により形成された空間部と該開孔部とを補強する補強構造において、該継手金物の開孔部側端部と該開孔部の継手金物側端部との間隙に、該継手金物の端部外方位置の対向する主筋に複数の集約せん断補強筋を巻き付け、且つ、該開孔部の周囲に開孔部補強筋を配筋し、該開孔部補強筋は、該開孔部補強筋から部材の長手方向に延設させて延長補強筋を設け、該継手金物側に設けた該延長補強筋は、せん断補強筋の非配筋位置となる該空間部に突出させて該空間部の補強筋として配筋し、近接した位置の継手金物によって生じる空間部と開孔部との両者を補強してなる継手金物部位と開孔部とを併設配置した補強構造を特徴とする。
【０００９】
また、上記開孔部補強筋は、主筋に巻き付けた孔際補強筋、開孔部周囲を囲む開孔部囲繞補強筋及び延長補強筋とよりなる継手金物部位と開孔部とを併設配置した補強構造を特徴とする。
【００１０】
更に、上記複数の集約せん断補強筋は、主要構造部材の長手方向において密接配筋してなる継手金物部位と開孔部とを併設配置した補強構造を特徴とする。
【００１１】
また、上記複数の集約せん断補強筋は、主要構造部材の長手方向において小間隔を有した集中状態で配筋してなる継手金物部位と開孔部とを併設配置した補強構造を特徴とする。
【００１２】
更に、上記集約せん断補強筋及び／又は孔際補強筋は、１本の鉄筋を数回巻いて複数の鉄筋としてなる継手金物部位と開孔部とを併設配置した補強構造を特徴とする。
【００１３】
また、上記開孔部囲繞補強筋は、直線部材と斜材部材とを組み合わせてなる継手金物部位と開孔部とを併設配置した補強構造を特徴とする。
【００１４】
更に、上記開孔部囲繞補強筋は、四角形部材と多角形部材或いは多角形部材相互又は多角形部材と湾曲部材或いは湾曲部材相互等を適宜組み合わせてなる継手金物部位と開孔部とを併設配置した補強構造を特徴とする。
【００１５】
また、上記開孔部囲繞補強筋は、開孔部の長手方向に沿って延出し、該開孔部を囲むスパイラル状の鉄筋とした継手金物部位と開孔部とを併設配置した補強構造を特徴とする。
【００１６】
更に、上記開孔部囲繞補強筋は、主筋、延長補強筋、せん断補強筋、集約せん断補強筋、孔際補強筋、その他開孔部周囲の補強筋等に連結してなる継手金物部位と開孔部とを併設配置した補強構造を特徴とする。
【発明の効果】
【００１７】
本発明は、継手金物の端部外方の主筋に集約せん断補強筋を巻き付けることにより対向する該継手金物本体の外側壁間にせん断補強筋を巻き付ける必要がなくなり、その巻き付けた集約せん断補強筋により当該部分からせん断補強筋が外方へ突出することがなく、コンクリートのかぶり厚の増加を防止し、主筋の位置を内側へ移動させる設計変更等をすることもなく、コンクリート使用量の増分がなくなり更に通常の設計や施工を行うことができ、不経済ではなくなった。
【００１８】
また、開孔部において、該開孔部周囲の上下或いは左右に位置する主筋間に孔際補強筋及び該開孔部周囲を囲む開孔部囲繞補強筋等の開孔部補強筋を設けることにより該開孔部を有効的に補強することが可能となった。
【００１９】
更に、上記した継手金物の開孔部側の集約せん断補強筋、開孔部の継手金物側の開孔部補強筋となる該開孔部囲繞補強筋及び孔際補強筋とが別個に併設配筋できるか該開孔部補強筋が該集約せん断補強筋の配筋位置に入り込んで配筋できる寸法を該継手金物と開孔部との間に確保することにより、同一部材において該継手金物部位と開孔部とを併設した状態で配置することができ、要求される設計に合理的に対応できることが可能となった。
【００２０】
また、上記開孔部周囲を囲む開孔部囲繞補強筋として斜材部材或いは湾曲部材及びそれらに連続する直線部材を有する補強筋を配筋し、少なくともその一部を対向する主筋間に巻き付けた該孔際補強筋と重ねて或いは近接する位置で固定することにより強固な補強が得られ、該開孔部の有効的な補強を得ることが可能となった。
【図面の簡単な説明】
【００２１】
【図１】構築物の主要構造部の継手金物部位と開孔部とを併設配置した補強構造の長手方向の側面図。
【図２】構築物の主要構造部の継手金物部位と開孔部とを併設配置した補強構造の長手方向の平面図。
【図３】（ａ）開孔部補強構造の短手方向の断面図、（ｂ）同他の実施例の断面図、（ｃ）同他の実施例の断面図。
【図４】継手金物部位と開孔部とを併設配置した補強構造の他の実施例の長手方向の側面図。
【図５】継手金物部位と開孔部とを併設配置した補強構造の開孔部側の他の実施例の長手方向の側面図。
【図６】従来の継手金物部位における集約せん断補強筋を示す側面図。
【発明を実施するための形態】
【００２２】
以下、図面を参考に本発明を実施するための最良の形態についてその実施例に基づいて説明する。
【実施例１】
【００２３】
図１及び図２は、本発明の主筋相互を連結する継手金物を設けた部位に併設して開孔部を設け、その両者の補強構造に関する実施例を示したものである。１は鉄筋コンクリート造又は鉄骨鉄筋コンクリート造等の構築物の梁又は柱等の主要構造部の左右或いは上下方向に延びる主筋２の端部相互を連結するための継手金物で、該継手金物１への主筋挿入部となる両端部３ａ、３ｂの外方にスターラップ筋或いはフープ筋等のせん断補強筋を密接或いは小間隔を有した集中状態で或いは所定のせん断補強が得られる単数の鉄筋で主筋２の長手方向に沿ってその上下或いは左右の最外側に位置する対向する主筋２間に巻き付けて集約せん断補強筋４ａ、４ｂとしている。なお、実施例は梁を示しているので、図での主筋２は上下に位置している。
【００２４】
梁又は柱等の主要構造部に設けるせん断補強筋５は、一定の間隔毎に主筋２に巻き付けて配筋しているが、本実施例では該継手金物１を設けた部位には上記従来の欠点で示した理由により該せん断補強筋５を設けていない。それにより継手金物部位はせん断補強筋５が存在しない空間部Ｓとなるため、その補強手段として該継手金物１の両端部３ａ、３ｂの外方となる位置に該継手金物に密接して集約せん断補強筋４ａ、４ｂを対向する主筋２間に巻き付け配筋している。
【００２５】
設計上、同一部材において上記した継手金物１から近い位置に開孔部６を設けなければならない状態が生じることがある。その際、該継手金物１と開孔部６との配置間隔には様々な寸法が考えられるが、該継手金物１同様、該開孔部６においても有効な補強手段を講じる必要があるので、両者の補強ができる間隔さえ得られれば両者を併設することが可能となる。そこで、上記した継手金物１の開孔部６側に位置する集約せん断補強筋４ａと下記する開孔部６の継手金物１側に位置する孔際補強筋及び場合によっては一般部せん断補強筋が入っても良いように配筋できる間隔さえ得られれば両者を併設することができることになる。
【００２６】
該開孔部６の開孔部補強筋として、本実施例では該開孔部６の周囲を囲むようにして補強する開孔部囲繞補強筋７及び該開孔部６に近接した位置の左右に該開孔部６からのかぶり厚さ分の寸法を確保して孔際補強筋８ａ、８ｂを配筋している。該孔際補強筋８ａ、８ｂは、対向する主筋２間に巻き付けて配筋している。該開孔部６の周囲を囲む該開孔部囲繞補強筋７は、その一部が該孔際補強筋８ａ、８ｂと重なって或いは近接する位置で配筋することにより補強上有効な配筋となる。
【００２７】
該開孔部囲繞補強筋７は、本実施例では内側から外側にかけての四角形状或いは変形多角形状の第１補強筋９、該第１補強筋９の外側から内側にかけての四角形状或いは変形多角形状の第２補強筋１０で取り囲むようにして二重配筋となるように形成している。また、第１補強筋９、第２補強筋１０の内側及び外側位置を逆にしたり、或いはそれらを連続状態で形成したり、また、それらを三重、四重、…にした形状も該開孔部６及び施工の状況により適宜考えられる。
【００２８】
図１に示すように、上記開孔部囲繞補強筋７は、一方の孔際補強筋８ａ側を基点として上方の主筋２に向かって該開孔部６を囲むようにして斜材部材１１を設け、折曲部１２から折り曲げて他方の孔際補強筋８ｂへ向かって斜材部材１３を設け、更に、折曲部１４で折り曲げて下方の主筋２に向かって集約せん断補強筋４ａと平行となる平行部材１５を設け、更に、折曲部１６で折り曲げて斜材部材１７を設け、折曲部１８で折り曲げて主筋２と平行となる平行部材１９とし、折曲部２０で折り曲げ、斜材部材２１他方側の折曲部２２で折り曲げてスタート位置となる基点と接する孔際補強筋８と平行となる平行部材２３とし、全体として多角形形状の第１補強筋９としている。
【００２９】
上記第１補強筋９と連続或いは固定又は断続状態で一体として作用することになる折曲部２２より該孔際補強筋８と平行となる平行部材２３により所定長の延設後、該上方の主筋２に向かって折曲部２４で折り曲げ、該斜材部材１１の外側に該斜材部材１１と平行状態で斜材部材２５を設け、その一端の折曲部２６で折り曲げて該折曲部１２と接する或いは固定又は断続状態で一体として作用して該上方の主筋２と平行となるように折曲部２７の位置まで延設して平行部材２８とし、該折曲部２７より集約せん断補強筋４ａ側へ折り曲げて斜材部材２９とし、折曲部３０により折り曲げて該集約せん断補強筋４ａと平行となるように平行部材３１を設け、折曲部１４と重なる位置の折曲部まで延設し、該折曲部１４の位置から下方の主筋２に向かって該斜材部材１７と平行となるように折り曲げて斜材部材３２とし、次の折曲部３３まで延設し、該折曲部３３で折り曲げて孔際補強筋８側へ延設して斜材部材３４とし、スタート部となる基点へ戻り一体とし、全体として多角形形状の第２補強筋１０を形成している。
【００３０】
上記実施例の場合、継手金物１部位と開孔部６とが位置するその間の間隔は、該継手金物１の開孔部６側となる端部３ａに配筋された集約せん断補強筋４ａと開孔部６の該継手金物１側に配筋された孔際補強筋８ｂが別個に併設配筋できるか該開孔部補強筋が該集約せん断補強筋の配筋位置に入り込んで配筋できる寸法さえ確保できれば、同一部材において継手金物１と開孔部６とを併設配置することが可能となる。なお、該継手金物１と開孔部６の間隔は、各々の集約せん断補強筋４ａ、孔際補強筋８ｂ間に通常間隔のせん断補強筋５を適宜本数設けることが可能な相互に離れた間隔とすることも可能である。
【００３１】
上記第１補強筋９と第２補強筋１０とにより開孔部囲繞補強筋７としているが、図３（ａ）、（ｂ）に示すように、該開孔部囲繞補強筋７は、梁の手前側及び奥側に位置する孔際補強筋８ａ、８ｂの内側で上下の主筋間に配筋し、図１に示すように、固定手段３５、３６によりそれらに固定している。また、図３（ｃ）にあっては、梁の手前側及び奥側に位置する孔際補強筋８ａ、８ｂ、主筋２の他に中子筋３７にも沿って開孔部囲繞補強筋７を配筋し、固定手段によってそれらに固定し、開孔部６の補強構造としている。中子筋３７にはその前面又は背面位置或いは中子筋３７を中心としてその両面に該開孔部囲繞補強筋７を固定する実施例とすることもできる。
【００３２】
上記継手金物１及び開孔部６に採用される集約せん断補強筋４ａ、４ｂ、孔際補強筋８ａ、８ｂは、対向する主筋２間において複数のせん断補強筋を密接状態で束ねて配筋したもの、小間隔を有して集中状態で配筋したもの、１本の鉄筋を巻き付け配筋したもの等様々な対応が考えられる。
【実施例２】
【００３３】
図４は、鉄筋の継手金物を設けた部位と開孔部を設けた箇所との間隔に、鉄筋を組んで開孔部を補強する実施例を示したものである。継手金物３８の両端部４０ａ、４０ｂにその外方にスターラップ筋或いはフープ筋等のせん断補強筋の複数本を密接或いは小間隔を有して集中状態で配筋して集約せん断補強筋４１ａ、４１ｂとしている。また、１本の鉄筋或いは１本の鉄筋を数回巻いた鉄筋としてもよい。該継手金物３８に近接した位置に開孔部４２を設ける場合は、該開孔部囲繞補強筋の定着部を空間部Ｓに達する或いは空間部を貫通するように配筋することも可能であり、該空間部Ｓを配筋スペースとすることができる。
【００３４】
本実施例の開孔部４２を囲む開孔部囲繞補強筋４３は、主筋３９方向となる長手方向に延設した鉄筋と該開孔部４２を囲む斜材部材となる鉄筋とを折り曲げ形成した鉄筋を組み合せることにより該開孔部４２を囲繞する補強筋としたものである。
【００３５】
該開孔部囲繞補強筋４３は、継手金物３８の一端部４０ａ側より、上方側の主筋３９の長手方向へ延設する方向と同一方向へ該主筋３９と平行に延設した延長部材となる延長補強筋４４と一方の該孔際補強筋４５ｂの内側背面を通過し、該開孔部４２の開孔縁から離れた位置に折曲部４６を設け、該折曲部４６から、下方の主筋３９側へ折曲し、他方の該孔際補強筋４５ａの内側背面を通過し、下方側の主筋３９の長手方向へ延設する方向と同一方向へ該下方の主筋３９と平行に延設して延長部材となる延長補強筋４７とし、該延長補強筋４７は折曲部４８により折り曲げられて連続的に延設され、該折曲部４６、４８間に斜材部材４９を設けてなる第１補強筋５０と、上記第１補強筋５０と同様の形状とし、折曲部５１、５２間の斜材部材５３を、該開孔部４２の上記斜材部材４９とは開孔部４２を挟んで反対側位置を通過するようにし、該折曲部５１、５２からは各々延長補強筋５４、５５を設け、それらにより第２補強筋５６とし、上記第１、第２補強筋５０、５６とにより後面側の開孔部囲繞補強筋としている。
【００３６】
上記第１補強筋５０は、結束筋、クリップ、溶接等の各種固定手段５７によって孔際補強筋４５ａ、４５ｂ及び必要に応じてせん断補強筋、主筋３９或いは他の部材等に連結され固定されることになる。また、上記第２補強筋５６は、上記同様に、固定手段５８によって孔際補強筋４５ａ、４５ｂ及び必要に応じてせん断補強筋、主筋３９或いは他の部材等に連結され固定されることになる。
【００３７】
他方、上記第１、第２補強筋５０、５６の前面側に重ねて配置する開孔部囲繞補強筋４３は、継手金物３８より、上方側の主筋３９の長手方向へ延設する方向と同一方向へ該上方の主筋３９と平行に延設した延長部材となる延長補強筋５９と一方の該孔際補強筋４５ａの内側背面を通過し、該開孔部４２の開孔縁から該継手金物３８側へ離れた位置に折曲部６０を設け、該折曲部６０から、下方の主筋３９側へ折曲し、他方の該孔際補強筋４５ｂの内側背面を通過し、下方の主筋３９の長手方向へ延設する方向と同一方向へ該下方の主筋３９と平行に延設した延長部材となる延長補強筋６１への折目となる折曲部６２まで延設した斜材部材６３を設けてなる第３補強筋６４と、上記第３補強筋６４と同様の形状とし、折曲部６５、６６間の斜材部材６７を、該開孔部４２の上記斜材部材６３とは開孔部４２を挟んで反対側位置を通過するようにし、該折曲部６５、６６からは各々延長補強筋６８、６９を設け、それらにより第４補強筋７０とし、上記第３、第４補強筋６４、７０とにより前面側の開孔部囲繞補強筋としている。
【００３８】
上記第３補強筋６４は、固定手段７１によって孔際補強筋４５及び必要に応じてせん断補強筋、主筋３９或いは他の部材等に連結され固定されることになる。また、上記第４補強筋７０は、上記同様に、固定手段７２によって孔際補強筋４５ａ、４５ｂ及び必要に応じてせん断補強筋、主筋３９或いは他の部材等に連結され固定されることになる。
【００３９】
上記開孔部４２の周辺部を上記第１乃至第４補強筋５０、５６、６４、７０を後面側及び前面側に組み合わせることにより、主要構造部の手前側及び奥側の開孔部囲繞補強筋としている。該開孔部囲繞補強筋は、図４に示すように、延長部材及び斜材部材によって開孔部４２の周辺を囲むことにより全体として菱形形状或いは多角形形状とされている。なお、図面では斜材部材を直線状に表現しているが、開孔部の円形形状に沿うように湾曲状の円形部材とすることもできる。
【００４０】
上記実施例の第１、第２補強筋５０、５６の位置を、第３、第４補強筋６４、７０の位置と逆にしてその後面側としてもよいことは言うまでもない。
【００４１】
また、上記実施例の第１、第２補強筋５０、５６と第３、第４補強筋６４、７０との重なりは開孔部４２の大きさに応じて図４で示す状態より、継手金物３８側にずらしたり、或いはその反対方向側へずらして構成することも可能である。この場合、開孔部囲繞補強筋４３は、開孔部の位置と開孔径に応じて、その位置や形状を変えることができる。また、継手金物と開孔部の位置関係は、継手金物の集約せん断補強筋等の集約区間と開孔部の補強有効範囲が重ならなければ、両者を限りなく近付ける事が可能となる。
【００４２】
更に、図３（ａ）、（ｂ）に示した断面図同様、上記第１乃至第４補強筋５０、５６、６４、７０よりなる開孔部囲繞補強筋を手前側及び奥側に位置する孔際補強筋（必要に応じてせん断補強筋、集約せん断補強筋、主筋或いは他の部材等）に固定する等、適宜実施例が採用できる。また、図３（ｃ）に示す断面図のように、該第１乃至第４補強筋５０、５６、６４、７０を手前側の孔際補強筋（必要に応じてせん断補強筋、集約せん断補強筋、主筋或いは他の部材等）及び奥側の孔際補強筋（必要に応じてせん断補強筋、集約せん断補強筋、主筋或いは他の部材等）に固定する他に、中子筋３７にも固定する補強構造を採用することができる。該開孔部の補強として、該中子筋３７を中心としてその両面に第１乃至第４補強筋５０、５６、６４、７０を配筋した補強構造も考えられる。
なお、図３では開孔部補強筋として３列までの配筋として例示しているが、主筋の数や部材厚によっては４列或いはそれ以上の配筋も考えられる。このことは他の実施例も同様である。
【００４３】
上記継手金物３８及び開孔部４２に採用される集約せん断補強筋４０ａ、４０ｂ、孔際補強筋４５ａ、４５ｂは、対向する主筋３９間において複数のせん断補強筋を密接状態で束ねて配筋したもの、小間隔を有して集中状態で配筋したもの、１本の鉄筋を巻き付け配筋したもの、１本の鉄筋を数回巻き付けて配筋したもの等様々な対応が考えられる。
【実施例３】
【００４４】
図５は、鉄筋の継手金物部位に併設した開孔部の補強構造の他の実施例で、上下或いは左右の継手金物の端部に設けた集約せん断補強筋から所定寸法離れた位置に開孔部７３を設けたものである。
【００４５】
該開孔部７３を取り囲むようにして手前側の該孔際補強筋７４から奥側の孔際補強筋７４側へと連続する開孔部７３の長手方向となる円形、四角形或いは多角形としたスパイラル状の開孔部囲繞補強筋７５を設けることにより該開孔部７３を補強したものである。
【００４６】
該スパイラル状の開孔部囲繞補強筋７５は、開孔部７３の外方となる周囲の開孔部７３の長手方向に沿って延設されるもので、孔際補強筋７４ａ、７４ｂ及び必要に応じてせん断補強筋７６、主筋或いは他の部材等の内側に固定できるように延長部材となる延長補強筋７７、７８を設け、該延長補強筋７７、７８を固定手段７９、８０によって連結固定している。
【００４７】
開孔部７３を形成する筒体等を保持する支持突出部８１を設けることもできる。これは実施例１、２も同様である。また、該開孔部囲繞補強筋７５は、その長手方向の中間部から延長補強筋７７、７８を延出し、それを中子筋３７と固定することもできる。中子筋３７にはその前面又は背面位置或いは中子筋３７を中心としてその両面に固定する実施例も考えられる。
【００４８】
本実施例でも、継手金物及び開孔部の補強として使用する集約せん断補強筋及び孔際補強筋の種類やその相互の間隔は、上記実施例１、２と同様である。
【００４９】
また、上記実施例１、２、３を必要に応じて適宜組み合わせて最適な構成を選択することができることはも言うまでもない。
また、上記実施例では、対象となる部材を梁として説明したが、梁に限定することなく、柱や斜材等の他の構造部材においても同様の補強構造とすることができる。
【符号の説明】
【００５０】
１、３８、Ａ                                継手金物
２、３９                                    主筋
３ａ、３ｂ、４０ａ、４０ｂ                  継手端部
４ａ、４ｂ、４１ａ、４１ｂ                  集約せん断補強筋
５、７６                                    せん断補強筋
６、４２、７３                              開孔部
７、４３、７５                              開孔部囲繞補強筋
８ａ、８ｂ、４５ａ、４５ｂ、７４ａ、７４ｂ  孔際補強筋
９、５０                                    第１補強筋
１０、５６                                  第２補強筋
１１、１３、１７、２１、２５、２９、３２、３４、４９、５３、６３、６７  斜材部材
１２、１４、１６、１８、２０、２２、２４、２６、２７、３０、３３、４６、４８、５１、５２、６０、６２、６５、６６        折曲部
１５、１９、２３、２８、３１                平行部材
３５、３６、５７、５８、７１、７２、７９、８０  固定手段
３７                                        中子筋
４４、４７、５４、５５、５９、６１、６８、６９、７７、７８  延長補強筋
６４                                        第３補強筋
７０                                        第４補強筋
８１                                        支持突出部
【図１】
0005985799.tif 000002
【図２】
0005985799.tif 000003
【図３】
0005985799.tif 000004
【図４】
0005985799.tif 000005
【図５】
0005985799.tif 000006
【図６】
0005985799.tif 000007